(57)【要約】【課題】  使用上安全であるとともに使用する長さ分だけ引き出したロールペーパーを、片手で容易にしかも確実に切り取ることができるロールペーパーホルダーを提供する。【解決手段】  ロールペーパーホルダー１は、ロールペーパー１０の巻き芯部を嵌める支持棒２と、支持棒２の手前側に位置してかつ支持棒２と一体としたカットバー３から成るロールペーパー装填体４を基板５に上下方向揺動自在に軸止部６で軸止してある。カットバー３は、丸みを帯びた形状の刃７が波形に連続している。ロールペーパー装填体４は、支持棒２に装填したロールペーパー１０の巻き端を水平方向ないしは上向きに引くとロールペーパー１０の外周面を基板５面から浮上ないしは緩い接触状態とし、ロールペーパー１０の巻き端１１を下向きに引くとロールペーパー１０の外周面を基板５面に圧接状態とする機能を有している。【選択図】  図１
2014042803.tif 000002
【特許請求の範囲】
【請求項１】
ロールペーパーを装填しその巻き端から順次所要の長さ分だけ引き出して切り取るロールペーパーホルダーであって、
ロールペーパーの巻き芯部を嵌める支持棒と、支持棒の手前側に位置してかつ支持棒と一体としたカットバーを備えたロールペーパー装填体を基板に上下方向揺動自在に軸止して成り、
前記カットバーは、丸みを帯びた形状の刃が波形に連続していること
を特徴とするロールペーパーホルダー。
【請求項２】
ロールペーパーを装填しその巻き端から順次所要の長さ分だけ引き出して切り取るロールペーパーホルダーであって、
ロールペーパーの巻き芯部を嵌める支持棒と、支持棒の手前側に位置してかつ支持棒と一体としたカットバーを備えたロールペーパー装填体を基板に上下方向揺動自在に軸止して成り、
前記ロールペーパー装填体は、ロールペーパーをはさむ間隔で左右一対のサイドアームを有し、かつ前記支持棒が前記サイドアームに嵌着離脱自在であるとともに、
前記カットバーは、丸みを帯びた形状の刃が波形に連続していて、前記一対のサイドアームに取り付けられていること
を特徴とするロールペーパーホルダー。
【請求項３】
ロールペーパー装填体は、その支持棒に装填したロールペーパーの巻き端を水平方向ないしは上向きに引くとロールペーパーの外周面を基板面から浮上ないしは緩い接触状態とし、ロールペーパーの巻き端を下向きに引くとロールペーパーの外周面を基板面に圧接状態とする機能を有していることを特徴とする請求項１又は２記載のロールペーパーホルダー。
【請求項４】
カットバーは、刃先側からみて山形に逆Ｖ字状をなす形状であることを特徴とする請求項１又は２記載のロールペーパーホルダー。
【請求項５】
ロールペーパーの巻き芯部を嵌める支持棒は、ロールペーパー装填体のサイドアームの背後側から嵌着離脱させることを特徴とする請求項２記載のロールペーパーホルダー。
【請求項６】
支持棒をサイドアームの嵌合凹部に圧入嵌合した状態で支持棒の一端をその一方のサイドアームに軸ピンによって軸止めしてあることを特徴とする請求項５記載のロールペーパーホルダー。
【請求項７】
幅方向にミシン目を入れてそのほぼ中間部分に長い切り目を入れたロールペーパーをセットして使用することを特徴とする請求項１ないし６のいずれかに記載のロールペーパーホルダー。
【発明の詳細な説明】
【技術分野】
【０００１】
本発明は、トイレットペーパーなどのロールペーパーを装填してその巻き端から順次所要の長さ分だけ引き出して切り取るロールペーパーホルダーに関するものである。
【背景技術】
【０００２】
ホルダー本体に装填したロールペーパーの巻き端の垂れ下がった部分を摘んで手前側に使用長さ分だけ引き出し、ホルダー本体の手前側下部に位置するカッター部に引っ掛けて片手操作で切り取ることができるようにしたトイレットペーパーホルダーは、特開平８−２８０５７７号公報に記載されている。
また、ロールペーを装填する支持軸をその基端を固定してあって先端を開放状態とした片持ち構造のロールペーパーホルダーは、従来から種々のものが提案されている（例えば、特開２０００−２３７０９２号公報、特開２０００−９３３４６号公報、特開２００１−７８９２１公報公報、特開２００１−３６０号公報、実開平５−８２３９５号公報および実用新案登録第３０４２７１４号公報参照）。
【先行技術文献】
【特許文献】
【０００３】
【特許文献１】特開平８−２８０５７７号公報
【特許文献２】特開２０００−２３７０９２号公報
【特許文献３】特開２０００−９３３４６号公報
【特許文献４】特開２００１−７８９２１号公報
【特許文献５】特開２００１−３６０号公報
【特許文献６】実開平５−８２３９５号公報
【特許文献７】実用新案登録第３０４２７１４号公報
【発明の概要】
【発明が解決しようとする課題】
【０００４】
前掲の特開２０００−２３７０９２号公報において紹介されているロールペーパーホルダーによれば、支持軸の開放端からロールペーパーを簡便に装填することができ、しかも使用する長さ分を引き出したペーパーをカットバーに当てて引き上げることにより切り取ることができるので、ロールペーパーの引き出しとカッティングとを片手でもできるが、片手での操作ではやはりロールペーパーを切りにくいのも実情である。
すなわち、ロールペーパーの引き出しとカッティング操作は、ロールペーパーの軸心に対して一方向に限られるので、ペーパーホルダーの取付態様や場所の状況、あるいは使用者の身障度合や状態によっては、使い勝手が必ずしも良いとはいえないものである。
【０００５】
また、カットバーは鋸歯状の刃部を設けてあるのでロールペーパーの切れ味は良好であるとしても、刃部はその刃先が鋭いので使用上の安全面での問題点も指摘されている。
【０００６】
そこで本発明は、このような問題点を解消しようとするものであって、ロールペーパーの巻き芯部を嵌める支持棒と、支持棒の手前側に位置してかつ支持棒と一体としたカットバーから成るロールペーパー装填体を基板に上下方向揺動自在に軸止し、前記カットバーは、丸みを帯びた形状の刃が波形に連続している刃を備えていることことにより、使用上安全であるとともに使用する長さ分だけ引き出したロールペーパーを、片手で容易にしかも確実に切り取ることができるロールペーパーホルダーを提供することを目的とするものである。
【課題を解決するための手段】
【０００７】
上記目的を達成する本発明の請求項１に係るロールペーパーホルダーは、ロールペーパーを装填しその巻き端から順次所要の長さ分だけ引き出して切り取るロールペーパーホルダーであって、ロールペーパーの巻き芯部を嵌める支持棒と、支持棒の手前側に位置してかつ支持棒と一体としたカットバーを備えたロールペーパー装填体を基板に上下方向揺動自在に軸止して成り、前記カットバーは、丸みを帯びた形状の刃が波形に連続していることを特徴とするものである。
【０００８】
また、本発明の請求項２に係るロールペーパーホルダーは、ロールペーパーを装填しその巻き端から順次所要の長さ分だけ引き出して切り取るロールペーパーホルダーであって、ロールペーパーの巻き芯部を嵌める支持棒と、支持棒の手前側に位置してかつ支持棒と一体としたカットバーを備えたロールペーパー装填体を基板に上下方向揺動自在に軸止して成り、前記ロールペーパー装填体は、ロールペーパーをはさむ間隔で左右一対のサイドアームを有し、かつ前記支持棒が前記サイドアームに嵌着離脱自在であるとともに、前記カットバーは、丸みを帯びた形状の刃が波形に連続していて、前記一対のサイドアームに取り付けられていることを特徴とするものである。
【０００９】
前記請求項１又は２の構成において、ロールペーパー装填体は、その支持棒に装填したロールペーパーの巻き端を水平方向ないしは上向きに引くとロールペーパーの外周面を基板面から浮上ないしは緩い接触状態とし、ロールペーパーの巻き端を下向きに引くとロールペーパーの外周面を基板面に圧接状態とする機能を有していることが、また、カットバーは、刃先側からみて山形に逆Ｖ字状をなす形状であることが好適であり、さらに、前記請求項２の構成にあっては、ロールペーパーの巻き芯部を嵌める支持棒を、ロールペーパー装填体のサイドアームの背後側から嵌着離脱させる構成とするか、支持棒の一端をサイドアームの一方のアームに軸止めして他方のアームに嵌脱自在にした構成とすることが好適である。
【発明の効果】
【００１０】
本発明に係るロールペーパーホルダーによれば、ロールペーパーの巻き芯部を嵌める支持棒と、支持棒の手前側に位置してかつ支持棒と一体としたカットバーから成るロールペーパー装填体を基板に上下方向揺動自在に軸止してあるので、ロールペーパーの巻き端を水平方向ないしは上向きに引くとロールペーパーの外周面を基板面から浮上ないしは緩い接触状態とし、ロールペーパーの巻き端を下向きに引くとロールペーパーの外周面を基板面に圧接状態として、使用する長さ分だけ引き出したペーパーを片手で容易にしかも確実に切り取ることができる効果が得られるものである。
【図面の簡単な説明】
【００１１】
【図１】本発明の一実施の形態に係るロールペーパーホルダーの全体斜視図である。
【図２】同上ロールペーパーを装填していない状態の斜視図である。
【図３】同上カットバーの拡大斜視図である。
【図４】同上ロールペーパーの引き出し時の態様を示す斜視図である。
【図５】同上ロールペーパーホルダーの作用説明図である。
【図６】本発明の他の実施の形態に係るロールペーパーホルダーの部分斜視図である。
【図７】支持棒の斜視図である。
【図８】本発明のさらに他の実施の形態に係るロールペーパーホルダーの部分斜視図及びその一部の拡大斜視図である。
【図９】本発明のロールペーパーホルダーの使用態様の一例を示す全体斜視図である。
【発明を実施するための形態】
【００１２】
図１ないし図５において、１はロールペーパーホルダーである。このロールペーパーホルダー１は、ロールペーパーの芯部を一方側から挿通して嵌める支持棒２と、前記支持棒２と一体でその手前に位置するカットバー３とで成るロールペーパー装填体４を基板５に上下方向揺動自在に軸止して構成されている。６はその軸止部である。基板５はロールペーパーホルダー１を壁面等に取り付ける部材となるものである。
【００１３】
前記カットバー３は、丸みを帯びた形状の刃７が波形に連続しているものであって、刃先側からみて山形に逆Ｖ字状をなす形状である。支持棒２の開放端には玉状の止め部材８が取り付けられている。カットバー３の開放端には玉状の案内部材９が取り付けられている。
前記カットバー３は、図３に示すように刃先側からみて山形に逆Ｖ字状をなす形状とするのが、ロールペーパーの切れ味を良くするうえで好適である。また逆Ｖ字状をなす角度は３°〜５°程度であることが良好な切れ味を確保することと使用上の安全面でも好ましい。
なお、カットバー３は山形に弯曲する形状とすることもできる。
【００１４】
本発明の一実施の形態に係るロールペーパーホルダ１によれば、ロールペーパー装填体４の支持棒２に装填したロールペーパー１０の巻き端１１を水平方向ないしは上向きに引くとロールペーパー１０の外周面が基板５面から浮上ないしは緩い接触状態となり、ロールペーパー１０を容易に必要長さ分を引き出すことができる。そしてロールペーパー１０の巻き端１１を下向きに引くとロールペーパー１０の外周面が基板５の前面に圧接状態となり、かつ引き出した分をカットバー３に当てて下向きに引く状態となるので、その部位をカットバー３により容易にしかも確実に切断することができる。
【００１５】
図６に示す本発明の他の実施の形態に係るロールペーパーホルダ１は、ロールペーパー装填体４がロールペーパー１０をはさむ間隔で対向する一対のサイドアーム１２，１２を有しており、この一対のサイドアーム１２，１２は側面から見てＬ状に屈曲した形状を成していて、その上端部が基板５に軸止部６，６によって上下方向揺動自在に軸止されている。そして、ロールペーパー１０の巻き芯部を嵌める支持棒２は、ロールペーパー装填体４のサイドアーム１２，１２の背後側から嵌着離脱させる構成となっており、支持棒４がサイドアーム１２，１２に嵌着と離脱が自在にできるようになっている。
すなわち、サイドアーム１２，１２の屈曲部で基板５に面する背後側には嵌合凹部１３，１３が形成してあって、この嵌合凹部１３，１３に、支持棒２をロールペーパー１０を嵌めた状態で圧入嵌合することにより、サイドアーム１２，１２にロールペーパー１０を容易に装填でき、かつ装填したロールペーパー１０の安定した装填状体を保持できるものである。
また、この実施の形態において、カットバー３は、サイドアーム１２，１２の先端部に固定状態に取り付けられており、カットバー３を支持棒２に対してその手前側に位置させている。
図７に示すように、支持棒２の両端部はそれぞれサイドアーム１２，１２の嵌合凹部１３，１３に対する嵌合凸部１４，１４となっている。
【００１６】
上述の実施の形態においては、図８に示すように、支持棒２をサイドアーム１２，１２の嵌合凹部１３，１３に圧入嵌合した状態で支持棒２の一端をその一方のサイドアーム１２に軸ピン１５によって軸止めしてあって支持棒２が離脱しないようにしてある。
したがって、ロールペーパー１０を支持棒２に装填するには、サイドアーム１２，１２を上方に持ち上げた姿勢にして、軸ピン１５を支点として支持棒２をサイドアーム１２，１２から離れる方向に姿勢を変えたうえ、支持棒２にロールペーパー１０を装填して支持棒２をサイドアーム１２，１２の方に寄せてその他端を対応する嵌合凹部１３に圧入嵌合すればよいので、操作がいっそう簡便になる。
そして、この実施の形態にあっては、サイドアーム１２，１２から支持棒２が離脱しないので、その紛失などが未然に防止できる利点がある。
【００１７】
本発明に係るロールペーパーホルダー１には、図９に示すように、幅方向にミシン目１６，１６を入れてそのほぼ中間部分に長い切り目１７を入れたロールペーパー１０をセットして使用するのが好適である。
すなわち、図９に示して明らかなように、ロールペーパー１０の巻き端１１を摘まんで所要長さ分を引き出したうえ、ミシン目１６，１６及び長い切り目１７の無い箇所をカットバー３に当たる状態で巻き端１１を下方向に引けば、カットバー３が刃先側からみて山形に逆Ｖ字状をなしていることと相俟ってロールペーパー１０のさらなる引き出しがカットバー３により確実に止められたうえ、先ず長い切り目１７の部分が開いてその左右のミシン目１６，１６を軽快にしかも確実に切り離すことができるのである。そして、所要長さ分が切り離された後のロールペーパー１０の巻き端１１はカットバー３の位置から垂れ下がるので、次回の使用時に巻き端１１を摘まみやすく使い勝手が大変良好である。
【符号の説明】
【００１８】
１  ロールペーパーホルダー
２  支持棒
３  カットレバー
４  ロールペーパー装填体
５  基板
６  軸止部
７  刃
８  玉状の止め部材
９  玉状の案内部材
１０  ロールペーパー
１１  巻き端
１２，１２  サイドアーム
１３，１３  圧入嵌合凹部
１４，１４  嵌合凸部
１５  軸ピン
１６、１６  ミシン目
１７  長い切り目
【図１】
2014042803.tif 000003
【図２】
2014042803.tif 000004
【図３】
2014042803.tif 000005
【図４】
2014042803.tif 000006
【図５】
2014042803.tif 000007
【図６】
2014042803.tif 000008
【図７】
2014042803.tif 000009
【図８】
2014042803.tif 000010
【図９】
2014042803.tif 000011